(57)【要約】内部が運転室とされて窓部を有するキャブ（１０）、及び、該キャブ（１０）の周囲に設けられた通路（３１０）を有する車両本体（２２０）と、第一軸線（Ｏ１）回りに窓部（１００）に沿って回動可能に設けられるとともに、窓部（１００）に接触する通常位置（Ｎ）と該窓部（１００）から離間する立ち上げ位置（Ｌ）との間の可動域（Ｔ）で、第一軸線（Ｏ１）とは異なる第二軸線（Ｏ２）回りに回動するフロントサイドワイパ（１７０）と、通路（３１０）の外縁に沿って延びる通路柵（３２０）と、を備え、通路柵（３２０）が、該通路柵（３２０）を内外に貫通して上方に開口するとともにフロントサイドワイパ（１７０）の可動域（Ｔ）を含む開口部（Ｓ）を有する通路柵（３２０）と、を備える。
2017195907.tif 000002
【特許請求の範囲】
【請求項１】
内部が運転室とされて窓部を有するキャブ、及び、該キャブの周囲に設けられた通路を有する車両本体と、
第一軸線回りに前記窓部に沿って回動可能に設けられるとともに、前記窓部に接触する通常位置と該窓部から離間する立ち上げ位置との間の可動域で、前記第一軸線とは異なる方向に延びる第二軸線回りに回動するワイパと、
前記通路の外縁に沿って延びる通路柵と、
を備え、
前記通路柵が、該通路柵を内外に貫通して上方に開口するとともに前記ワイパの前記可動域を含む開口部を一部に有する通路柵と、
を備える作業車両。
【請求項２】
前記通路柵は、前記通路の外縁に沿う方向に離間する複数の柵部を有し、
前記開口部は、互いに隣り合う前記柵部によって区画形成されている請求項１に記載の作業車両。
【請求項３】
前記通路柵は、互いに隣り合う前記柵部同士を、これら柵部の上端よりも下方で連結する連結部を有し、
前記開口部は、互いに隣り合う前記柵部及び前記連結部によって区画形成されている請求項２に記載の作業車両。
【請求項４】
前記立ち上げ位置は、前記ワイパが前記開口部の位置又は前記前記通路柵の外側にある位置である請求項１から３のいずれか一項に記載の作業車両。
【請求項５】
オン指令が入力されることで前記ワイパを前記第一軸線回り往復回動させるとともに、オフ指令が入力されることで前記ワイパを所定の設定位置で停止させるワイパ駆動部を備え、
前記開口部は、前記設定位置における前記ワイパの前記第二軸線回りの前記可動域を含む請求項１から４のいずれか一項に記載の作業車両。
【請求項６】
前記窓部は、
車両幅方向に延びるフロントガラスと、
該フロントガラスの車両幅方向両側に稜線を介して接続されて斜め後方に向かって延びるとともに、それぞれ上下方向に延びる後端縁と前記稜線とが下方に向かうに従って互いに離間するフロントサイドガラスと、を有し、
前記ワイパは、前記フロントサイドガラスの上方に配置された前記第一軸線回りに該フロントサイドガラスに沿って回動可能に配置されており、
前記ワイパ駆動部は、前記ワイパが前記後端縁に沿って延びる後部位置と該ワイパが前記稜線に沿って延びる前部位置との間で、該ワイパを前記第一軸線回りに往復回動させ、
前記設定位置は、後部位置である請求項５に記載の作業車両。
【発明の詳細な説明】
【技術分野】
【０００１】
本発明は、作業車両に関する。
【背景技術】
【０００２】
特許文献１には、内部が運転室とされたキャブの周囲に、メンテナンス作業等に用いられる通路を有する作業車両が開示されている。キャブの窓部には、ワイパが設けられている。キャブの作業車両の通路の外縁には、該通路に一体に固定された通路柵が設けられている。
【先行技術文献】
【特許文献】
【０００３】
【特許文献１】特開２０００−２９１０６８号公報
【発明の概要】
【発明が解決しようとする課題】
【０００４】
ところで、作業者がキャブの窓部やワイパをメンテナンスする際には、該ワイパを、窓部に接触する通常位置から、窓部から離間した立ち上げ位置に回動させることがある。この際、ワイパが通路柵に干渉してしまうと、それ以上にワイパを窓部から離間させることができず、通路での作業性を損なわせてしまう。
本発明はこのような課題に鑑みてなされたものであって、メンテナンス性を向上させることのできる作業車両を提供することを目的とする。
【課題を解決するための手段】
【０００５】
本発明の一態様に係る作業車両は、内部が運転室とされて窓部を有するキャブ、及び、該キャブの周囲に設けられた通路を有する車両本体と、第一軸線回りに前記窓部に沿って回動可能に設けられるとともに、前記窓部に接触する通常位置と該窓部から離間する立ち上げ位置との間の可動域で、前記第一軸線とは異なる方向に延びる第二軸線回りに回動するワイパと、前記通路の外縁に沿って延びる通路柵と、を備え、前記通路柵が、該通路柵を内外に貫通して上方に開口するとともに前記ワイパの前記可動域を含む開口部を一部に有する通路柵と、を備える。
【発明の効果】
【０００６】
上記態様の作業車両によれば、メンテナンス性を向上させることができる。
【図面の簡単な説明】
【０００７】
【図１】本発明の実施形態に係る作業車両としてのホイールローダの側面図である。
【図２】本発明の実施形態に係る作業車両のキャブ付近の斜視図である。
【図３】本発明の実施形態に係る作業車両のキャブの斜視図であって、天井カバーを一部破断した図である。
【図４】本発明の実施形態に係る作業車両のキャブにおけるフロントサイドガラス、ワイパ駆動部及びフロントサイドワイパ付近を示す図である。
【図５】本発明の実施形態に係る作業車両のキャブにおけるフロントサイドワイパの第二軸線回りの可動域を説明する図である。
【図６】本発明の実施形態に係る作業車両のキャブにおけるワイパ駆動部の概略構成を示す模式図である。
【発明を実施するための形態】
【０００８】
以下、本発明に係る作業車両の一例であるホイールローダの実施形態について、図面を参照して詳細に説明する。
【０００９】
＜作業車両＞
図１に示すように、作業車両としてのホイールローダ２００は、作業機２１０及び車両本体２２０を有している。以下では、車両本体２２０の前後方向、前方、後方及び幅方向を単に「前後方向」、「前方」、「後方」及び「車両幅方向」と称する場合がある。車両幅方向は、「右側」あるいは「左側」と称する場合もある。車両幅方向の中心に向かって、「車両幅方向内側」と称し、車両幅方向の中心から右側又は左側に向かって「車両幅方向外側」と称する場合がある。車両本体２２０が水平面に配置された状態の上下方向、上方及び下方を単に「上下方向」、「上方」及び「下方」と称する場合もある。
【００１０】
＜作業機＞
作業機２１０は、車両本体２２０の前部に設けられている。作業機２１０は、ブーム２１１及びバケット２１２を有している。ブーム２１１は、車両本体２２０に回動可能に連結されている。バケット２１２は、リンク２１３を介して、ベルクランク２１４の一端に連結されている。ベルクランク２１４の他端には、バケット駆動用シリンダ２１６が連結されている。バケット２１２はブーム２１１の先端に回動可能に連結されている。ブーム２１１は、ブーム駆動用シリンダ２１５で駆動され、バケット２１２は、バケット駆動用シリンダ２１６で駆動される。これらブーム駆動用シリンダ２１５及びバケット駆動用シリンダ２１６は油圧回路を介して供給される油圧によって駆動される。
【００１１】
＜車両本体＞
車両本体２２０は、図１及び図２に示すように、車両フロント部２５０、車両リア部２６０、前輪２３０、後輪２４０、キャブ１０、フロントワイパ１３０、フロントサイドワイパ１７０、ワイパ駆動部１８０、通路形成部３００及び通路柵３２０を有している。
【００１２】
車両フロント部２５０は車両本体２２０の前部を構成している。車両本体２２０のうち車両フロント部２５０に上記作業機２１０が設けられている。車両リア部２６０は車両本体２２０の後部を構成している。車両フロント部２５０及び車両リア部２６０は、上下方向に延びる軸線回りに連結されていることで、互いに水平方向に回動可能とされている。前輪２３０は車両フロント部２５０に車両幅方向に離間して一対が設けられている。後輪２４０は車両リア部２６０に車両幅方向に離間して一対が設けられている。前輪２３０及び後輪２４０が駆動されることで、車両本体２２０が前進、後進する。
【００１３】
車両リア部２６０は、リアフレーム２７０、燃料タンク２７１、エンジンルーム２７２を有している。
リアフレーム２７０は、前後方向に延びる部材であって幅方向に間隔をあけて互いに平行に一対が設けられている。
燃料タンク２７１は、車両リア部２６０の後部の下方に設けられており、燃料が貯留されている。
エンジンルーム２７２はリアフレーム２７０の後部上方に設けられている。エンジンルーム２７２内には、燃料が供給されることで駆動されるエンジン、該エンジンを冷却するための冷却ユニット等が設けられている。エンジンの出力が、図示しない油圧ポンプやトルクコンバータ等の油圧機器に伝達され、作業機２１０やアクスル装置を動作させる。
【００１４】
＜キャブ＞
以下、キャブ１０について図２及び図３を参照して詳細に説明する。
キャブ１０は、キャブ本体２０及び窓部１００を有している。
【００１５】
＜キャブ本体＞
キャブ本体２０は、内部が操縦者の運転室とされている。キャブ本体２０は、前方が開口する箱状をなしている。キャブ本体２０は、支持構造体３０、天井部４０、着脱カバー５５、前部支柱５８、サイドパネル６０及び前部カバー７０を有している。
【００１６】
支持構造体３０は、キャブ１０の後部を構成しており、該キャブ１０をリアフレーム２７０に固定支持するとともに、仮にキャブ１０が外部から衝撃を受けても運転室の内部空間を確保し、操縦者を保護する役割を有する。支持構造体３０は、図３に示すように、後部支柱３１及び後部横梁３２を有している。
後部支柱３１は、上方に向かって延びる柱状の部材であって、車両幅方向に離間して左右一対が設けられている。後部支柱３１は、下部がリアフレーム２７０に固定されている。一対の後部支柱３１は、リアフレーム２７０との固定箇所から上方に向かって互いに平行に延びている。
【００１７】
後部横梁３２は、車両幅方向に延びる部材であって、一対の後部支柱３１の上端同士を車両幅方向に接続するように設けられている。
なお、一対の後部支柱３１及び後部横梁３２の後部には、車両幅方向及び上下方向に延びる後部パネル（図示省略）が設けられている。後部パネルは運転室を後方から区画する。
【００１８】
＜天井部＞
天井部４０は、運転室を上方から区画する。天井部４０は、図３に示すように、天井構造体４１、天井板４５、天井カバー５０を有している。
【００１９】
＜天井構造体＞
天井構造体４１は、天井部４０の骨格をなしており、支持構造体３０の上部から前方側に向かって張り出すように設けられている。天井構造体４１は、運転室内の操縦者を上方から保護する役割を有している。天井構造体４１は、例えば、側部縦梁４２、前部横梁４３、前部縦梁４４を有している。
【００２０】
側部縦梁４２は、前後方向に延びる部材であって、車両幅方向に離間して一対が設けられている。側部縦梁４２は後端が後部支柱３１の上端に一体に固定されている。一対の側部縦梁４２は、後部支柱３１との固定箇所から前方に向かって互いに平行に延びている。
前部横梁４３は車両幅方向に延びる部材であって、一対の側部縦梁４２の前端同士を車両幅方向に接続するように設けられている。前部横梁４３は、後部横梁３２と同一の上下方向位置で該後部横梁３２と平行に設けられている。
【００２１】
前部縦梁４４は、前後方向に延びる部材であって、車両幅方向に離間して一対が設けられている。前部縦梁４４は、後端が前部横梁４３に一体に固定されている。前部縦梁４４は、前部横梁４３との固定箇所から前方に向かって互いに平行に延びている。前部縦梁４４における前部横梁４３との固定箇所は、該前部横梁４３の車両幅方向外側の端部よりも車両幅方向内側の部分とされている。一対の前部縦梁４４は、一対の側部縦梁４２よりも車両幅方向内側に設けられている。一対の前部縦梁４４の車両幅方向の間隔は、一対の側部縦梁４２の車両幅方向の間隔よりも小さい。前部縦梁４４は、側部縦梁４２と同一の上下方向位置で側部縦梁４２と平行に設けられている。
【００２２】
天井板４５は、水平面に沿って延びる板状をなしている。天井板４５は、天井構造体４１の下部に設けられている。天井板４５は、側部縦梁４２、前部横梁４３、前部縦梁４４の下面に一体に固定されている。
天井板４５の車両幅方向外側の端部である側縁部４６は、側部縦梁４２の車両幅方向外側の外縁に沿って前後方向に延びるように形成されている。天井板４５の車両前方側の端部である前縁部４７は一対の前部縦梁４４の前端に沿って車両幅方向に延びるように形成されている。天井板４５の前縁部４７の車両幅方向外側の端部と、天井板４５の側縁部４６の前端とは、傾斜縁部４８によって接続されている。傾斜縁部４８は、後方側に向かうに従って車両幅方向外側に向かって傾斜するように延びている。即ち、天井板４５は、前部かつ車両幅方向外側の隅部が斜めに切り欠かれた形状をなしている。傾斜縁部４８は、前部縦梁４４よりも車両幅方向外側、かつ、側部縦梁４２よりも前方側に形成されている。
【００２３】
＜天井カバー＞
天井カバー５０は、天井構造体４１及び支持構造体３０の上部を覆っている。天井カバー５０は、図２及び図３に示すように、カバー本体５１、カバー側縁部５２、カバー前縁部５３及びカバー後縁部５４を有している。
カバー本体５１は水平面に沿って延びる板状をなしている。カバー本体５１は天井構造体４１の上端及び支持構造体３０の上端を覆っている。カバー本体５１は、天井板４５と同様、平面視で前部かつ車両幅方向外側の隅部が斜めに切り欠かれた形状をなしている。
【００２４】
カバー側縁部５２は、カバー本体５１の車両幅方向外側の端部に接続されている。カバー側縁部５２は、側部縦梁４２及び後部支柱３１を車両幅方向外側から覆っている。
カバー前縁部５３は、カバー本体５１の前方側の端部に接続されている。カバー前縁部５３は、前部縦梁４４の前端を前方側から覆っている。
カバー後縁部５４は、カバー本体５１の後方側の端部に接続されている。カバー後縁部５４は、後部支柱３１及び後部横梁３２を後方側から覆っている。カバー後縁部５４の車両幅方向外側の端部は、カバー側縁部５２の後端と接続されている。
【００２５】
カバー側縁部５２、カバー前縁部５３及びカバー後縁部５４の上下方向の寸法は、カバー本体５１と天井板４５との上下方向の間隔程度とされている。
カバー前縁部５３の車両幅方向外側の端部とカバー側縁部５２の前端とは、互いに離間している。これによって天井カバー５０の前部かつ車両幅方向外側の隅部は、天井カバー５０の外部に開口している。
【００２６】
ここで図３に示すように、天井部４０における前部かつ車両幅方向外側の部分には収容空間Ｒが形成されている。収容空間Ｒは、前部横梁４３、前部縦梁４４、天井板４５及び天井カバー５０によって区画形成されている。収容空間Ｒは、天井カバー５０の上記開口によって天井部４０の外部と連通している。即ち、収容空間Ｒは、天井部４０の外部に開口している。
【００２７】
＜着脱カバー＞
着脱カバー５５は、図２に示すように、天井部４０における前部かつ車両幅方向外側の隅部に着脱可能に取り付けられている。着脱カバー５５は、例えばボルト等の固定部材によって天井部４０の天井カバー５０に固定されている。着脱カバー５５は、天井部４０の収容空間Ｒの開口を覆うように設けられている。着脱カバー５５の下部には、該着脱カバー５５を貫通する連通孔５６が形成されている。着脱カバー５５が天井カバー５０に取り付けられた状態では、天井部４０の収容空間Ｒは該連通孔５６を介して該天井部４０の外部に連通している。
【００２８】
＜前部支柱＞
前部支柱５８は上下方向に延びる柱状の部材である。前部支柱５８は、キャブ本体２０の前部で車両幅方向に間隔をあけて一対が設けられている。一対の前部支柱５８は、上下方向に互いに平行に延びている。前部支柱５８は、それぞれ天井部４０の前部かつ車両幅方向外側の隅部に上端が固定されている。一対の前部支柱５８は、天井部４０の前部を車両幅方向両側で支持している。一対の前部支柱５８は、対応する一対の後部支柱３１の前方側に間隔をあけて配置されている。一対の前部支柱５８の車両幅方向の間隔は、一対の後部支柱３１の車両幅方向の間隔と同様とされている。
【００２９】
＜サイドパネル＞
サイドパネル６０は、図２に示すように、キャブ本体２０を車両幅方向両側の部分を構成する。サイドパネル６０は、運転室を車両幅方向両側から区画するように一対が設けられている。サイドパネル６０は、上下方向及び前後方向に延びる板状をなしている。サイドパネル６０は、前端が前部支柱５８に上下方向にわたって接続されている。サイドパネル６０は、後端が後部支柱３１に上下方向にわたって接続されている。サイドパネル６０の上端は前後方向にわたって天井部４０に接続されている。  
【００３０】
車両幅方向の左側のサイドパネル６０は、ドアパネル６１及びドア６２によって構成されている。ドアパネル６１は、前部支柱５８、後部支柱３１及び天井部４０に固定されている。ドアパネル６１における前方寄りの部分には、矩形状をなす開口であるドア枠６１ａが形成されている。ドア６２は、ドア枠６１ａに対応する矩形状に延びる板状をなしており、ドアパネル６１の開口を閉塞するように設けられている。ドア６２は、その前端部に設けられたヒンジを介して開閉可能に設けられている。操縦者はドア６２を介して運転席に搭乗する。ドア６２の上部には、サイドガラス６３が嵌め込まれている。
【００３１】
＜前部カバー＞
前部カバー７０は、キャブ本体２０における前部を形成し、窓部１００とともに運転室を前方側から区画している。前部カバー７０は、左右一対の前部支柱５８にわたって設けられている。前部カバー７０は、フロントサイドパネル８０、フロントロアパネル９０、及びフロントアッパーパネル９５によって構成されている。
【００３２】
フロントサイドパネル８０は、車両幅方向に離間して一対が設けられている。フロントサイドパネル８０は、車両幅方向外側に向かうに従って後方側、かつ、外側に向かって傾斜している。フロントサイドパネル８０は、上方から下方に向かうに従ってキャブ本体２０の外方に向かって広がるように傾斜している。
【００３３】
フロントサイドパネル８０の後端は、上下方向に沿って延びている。フロントサイドパネル８０の後端は、上下方向にわたって前部支柱５８に接続されている。フロントサイドパネル８０の上端は天井部４０に接続されている。フロントサイドパネル８０の前端は、上方から下方に向かうに従って前方側に向かって傾斜している。フロントサイドパネル８０の前端は、上方から下方に向かうに従って車両幅方向内側に向かって傾斜している。フロントサイドパネル８０には、前端から後端側に向かって切り欠かれるようにして形成された側部窓枠８１が形成されている。
【００３４】
フロントロアパネル９０は、一対のフロントサイドパネル８０の下部にわたるように車両幅方向に延びている。フロントロアパネル９０は一対のフロントサイドパネル８０の前端における側部窓枠８１の下側の部分と上下方向にわたって接続されている。フロントロアパネル９０は、上方から下方に向かうに従って前方側に向かって傾斜している。フロントロアパネル９０は、上方から下方に向かうに従って車両幅方向の寸法が小さくなるように形成されている。フロントロアパネル９０の上端は、車幅方向に延びる下部窓枠９１とされている。下部窓枠９１の車幅方向両側の端部は、それぞれ側部窓枠８１の下側の端部に接続されている。フロントロアパネル９０とフロントサイドパネル８０とが接続されることで形成される下部稜線７１は、下方に向かうに従って前方側に傾斜しており、かつ、下方に向かうに従って車両幅方向内側に向かって傾斜している。
【００３５】
フロントアッパーパネル９５は、一対のフロントサイドパネル８０の上部にわたるように車両幅方向に延びている。フロントアッパーパネル９５は一対のフロントサイドパネル８０の前端における側部窓枠８１の上側の部分と上下方向にわたって接続されている。フロントアッパーパネル９５は、フロントロアパネル９０の上方に離間して配置されている。フロントアッパーパネル９５は、上端が天井部４０に接続されている。フロントアッパーパネル９５の下端は、車幅方向に延びる上部窓枠９６とされている。上部窓枠９６の車幅方向両側の端部は、側部窓枠８１の上側の端部に接続されている。フロントロアパネル９０とフロントサイドパネル８０とが接続されることで形成される上部稜線７２は、下方に向かうに従って前方側に傾斜しており、かつ、下方に向かうに従って車両幅方向内側に向かって傾斜している。上部稜線７２と下部稜線７１とは同一の直線状に位置している。
キャブ本体２０の前方側の開口は、上記前部カバー７０の側部窓枠８１、下部窓枠９１及び上部窓枠９６によって区画形成されている。
【００３６】
＜窓部＞
窓部１００は、キャブ本体２０の開口を閉塞するように設けられている。窓部１００は、フロントガラス１１０及びフロントサイドガラス１２０を有している。
【００３７】
＜フロントガラス＞
フロントガラス１１０は、車両幅方向及び上下方向に延びる平板状をなすガラスである。フロントガラス１１０は、車両幅方向に延びる上端縁１１１がフロントアッパーパネル９５の上部窓枠９６に嵌め込まれている。フロントガラス１１０は、車両幅方向に延びる下端縁１１２がフロントロアパネル９０の下部窓枠９１に嵌め込まれている。フロントガラス１１０は、下方に向かうに従って前方側に向かって傾斜している。フロントガラス１１０は、フロントロアパネル９０及びフロントアッパーパネル９５と同一の平面上に延びている。
【００３８】
フロントガラス１１０の車両幅方向両側の端部である側端縁１１３は、下方に向かうに従って前方かつ車両幅方向内側に向かって傾斜している。即ち、フロントガラス１１０の側端縁１１３は、下部稜線７１及び上部稜線７２と同一の直線上に延びている。フロントガラス１１０は、左右一対の側端縁１１３が下方に向かうに従って互いに近づいている。即ち、フロントガラス１１０は、平面方向において、下方に向かうに従って車両幅方向の間隔が狭くなる形状をなしている。
【００３９】
＜フロントサイドガラス＞
フロントサイドガラス１２０は、図４に示すように、フロントサイドパネル８０と同一の平面上に延びる平板状をなして該フロントサイドガラス１２０の側部窓枠８１に嵌め込まれたガラスである。フロントサイドガラス１２０はフロントサイドパネル８０の側部窓枠８１に対応して、左右に一対が設けられている。フロントサイドガラス１２０は、フロントガラス１１０の側端縁１１３に接続されており、該側端縁１１３から斜め後方に向かって延びている。即ち、フロントサイドガラス１２０は、フロントガラス１１０の左右両端の側端縁１１３から車両幅方向外側に向かうに従って後方側に向かって傾斜して延びている。フロントサイドガラス１２０は、上方から下方に向かうに従ってキャブ本体２０の外方に向かって延びている。
【００４０】
フロントサイドガラス１２０の前端縁１２１は、上下方向にわたってフロントガラス１１０の車両幅方向外側の端部と接続されている。フロントサイドガラス１２０の前端縁１２１とフロントガラス１１０側端縁１１３とが互いに接触又は重なるように接続されることで形成される稜線１０１は、下方に向かうに従って車両幅方向内側に向かって傾斜するように延びており、かつ、下方に向かうに従って前方側に向かって傾斜するように延びている。即ち、当該稜線１０１は、上部稜線７２及び下部稜線７１と同様の傾斜角度で延びている。
【００４１】
フロントサイドガラス１２０の後端縁１２２は、上下方向に延びている。フロントサイドガラス１２０の後端縁１２２は、フロントサイドパネル８０の後端及び前部支柱５８に沿って延びている。
ここで本実施形態では、フロントサイドガラス１２０の前端縁１２１が下方に向かうに従って前方かつ車両幅方向内側に向かって傾斜しているため、それぞれ直線状に延びるフロントサイドガラス１２０の前端縁１２１と後端縁１２２とは上方から下方に向かうに従って次第に離間している。即ち、フロントサイドガラス１２０は、下方に向かうに従って広がる形状をなしている。
【００４２】
フロントサイドガラス１２０の前端縁１２１の上端と後端縁１２２との上端は、該フロントサイドガラス１２０の上端縁１２３によって接続されている。上端縁１２３は、前端縁１２１から後端縁１２２に向かうに従って下方に向かって傾斜している。
フロントサイドガラス１２０の後端縁１２２の下端には、該下端から前端縁１２１側に向かってフロントサイドパネル８０の下端と平行に延びる下端縁１２４が形成されている。下端縁１２４における後端縁１２２との接続箇所とは反対側の端部は、傾斜縁１２５を介して前端縁１２１の下端と接続されている。傾斜縁１２５は、下端縁１２４から前端縁１２１に向かうに従って上方に向かって傾斜している。
【００４３】
＜フロントワイパ＞
フロントワイパ１３０は、図２に示すように、フロントガラス１１０の表面を払拭可能に設けられている。フロントワイパ１３０は、フロントガラス１１０の下方に配置されて前後方向に延びる回動軸線回りに回動可能に設けられている。フロントワイパ１３０は、フロントガラス１１０の左右一対の側端縁１１３、即ち、左右一対のフロントサイドガラス１２０との稜線１０１の間で左右に往復回動する。
【００４４】
＜フロントサイドワイパ＞
フロントサイドワイパ１７０は、詳しくは図４及び図５に示すように、フロントサイドガラス１２０の表面を払拭可能に設けられている。フロントサイドワイパ１７０は、フロントサイドガラス１２０の上方に配置されて前後方向に延びる第一軸線Ｏ１回りに回動可能に設けられている。第一軸線Ｏ１は、フロントサイドガラス１２０の後端縁１２２よりも前端縁１２１（稜線１０１）の方に近接した位置に配置されている。フロントサイドワイパ１７０は、後述する通常位置Ｎと立ち上げ位置Ｌとの間で姿勢が変化するように回動する。フロントサイドワイパ１７０は、上方から下方に向かって吊下げられるように設けられている。
【００４５】
フロントサイドワイパ１７０は、フロントサイドワイパアーム１７１及びフロントサイドワイパブレード１７２を有している。
【００４６】
フロントサイドワイパアーム１７１は、いわゆるシングルアームである。フロントサイドワイパアーム１７１は、アームヘッド１７１ａ及びアームシャンク１７１ｂを有している。
【００４７】
アームヘッド１７１ａは、上端が第一軸線Ｏ１回りに回動可能に設けられている。
アームシャンク１７１ｂは、アームヘッド１７１ａの下端にヒンジを介して第二軸線Ｏ２回りに回動可能に設けられている。第二軸線Ｏ２は、第一軸線Ｏ１とは異なる方向に延びる軸線であって、第一軸線Ｏ１を中心とした仮想円の接線に沿う方向に延びている。第二軸線Ｏ２は、フロントサイドガラス１２０よりも上方に位置している。アームシャンク１７１ｂは、図５に示すように、第二軸線Ｏ２を中心とした仮想円Ｃの半径方向に延びるバー状をなしている。
【００４８】
図５の実線で示すように、アームシャンク１７１ｂがアームヘッド１７１ａからさらに下方に向かって延びる位置、即ち、第一軸線Ｏ１の半径方向に沿って下方に向かって延びる位置を通常位置Ｎとする。通常位置Ｎでは、アームシャンク１７１ｂは、フロントサイドガラス１２０に沿って下方に向かって延びている。即ち、通常位置Ｎでは、フロントサイドワイパブレード１７２に接続されているワイパラバー（図示省略）は、フロントサイドガラス１２０の表面に接触している。
【００４９】
図５の破線で示すように、アームシャンク１７１ｂがフロントサイドガラス１２０から離間するように第二軸線Ｏ２回りに回動することで、該アームシャンク１７１ｂがフロントサイドガラス１２０から離間するように延びる位置を立ち上げ位置Ｌとする。アームシャンク１７１ｂは、通常位置Ｎと立ち上げ位置Ｌを回動端として第二軸線Ｏ２回りに回動可能とされている。
【００５０】
アームシャンク１７１ｂの内部には該アームシャンク１７１ｂとアームヘッド１７１ａとにわたってそれぞれ架け渡されたスプリング及びフック（それぞれ図示省略）が設けられている。アームシャンク１７１ｂが通常位置Ｎに位置する際には、スプリングの付勢力によって、該アームシャンク１７１ｂは通常位置Ｎに保持される。一方、アームシャンク１７１ｂをスプリングの付勢力に抗して立ち上げ位置Ｌに立ち上げるようにある程度回動させると、スプリングの作用点が変化する。これにより、アームシャンク１７１ｂは立ち上げ位置Ｌに向かって付勢されることになる。アームシャンク１７１ｂが立ち上げ位置Ｌに位置する際には、スプリングの付勢力によって立ち上げ位置Ｌに保持される。当該立ち上げ位置Ｌは、いわゆるロックバック位置である。
なお、本実施形態での立ち上げ位置Ｌは、アームシャンク１７１ｂがフロントサイドガラス１２０から離間した状態で保持される位置を示しているが、これに限定されることはない。立ち上げ位置Ｌは、アームシャンク１７１ｂがフロントガラス１２０から離間するように移動する限界位置であってもよい。当該限界位置で作業者がアームシャンク１７１ｂを保持しなければ、アームシャンク１７１ｂが通常位置Ｎに戻る構成であってもよい。
【００５１】
フロントサイドワイパブレード１７２は、フロントサイドワイパアーム１７１の下端となるアームシャンク１７１ｂの先端に連結されている。フロントサイドワイパブレード１７２の長手方向は、アームシャンク１７１ｂと同様の方向に延びている。フロントサイドワイパブレード１７２は、アームシャンク１７１ｂの先端に対して揺動可能に連結されていてもよい。
【００５２】
アームシャンク１７１ｂが通常位置Ｎに位置する際には、フロントサイドワイパブレード１７２は、図示を省略しているワイパラバーを介してフロントサイドガラス１２０に外側から接触している。この際、フロントワイパブレード１５０は、第一軸線Ｏ１の半径方向にわたってフロントサイドガラス１２０に接触している。
【００５３】
アームシャンク１７１ｂが通常位置Ｎから立ち上げ位置Ｌに回動すると、フロントサイドワイパブレード１７２はフロントサイドガラス１２０の外面から離間する。即ち、フロントサイドワイパブレード１７２はフロントサイドガラス１２０の表面から離れ、アームシャンク１７１ｂとともにフロントサイドワイパブレード１７２は通常位置Ｎから立ち上げ位置Ｌに遷移する。アームシャンク１７１ｂが第二軸線Ｏ２回りに通常位置Ｎと立ち上げ位置Ｌとで回動する際の当該アームシャンク１７１ｂ及びワイパブレードの存在領域をフロントサイドワイパ１７０の可動域Ｔとする。
【００５４】
＜ワイパ駆動部＞
ワイパ駆動部１８０は、フロントサイドワイパアーム１７１を第一軸線Ｏ１回りに往復回動させる。ワイパ駆動部１８０は、詳しくは図６の模式図に示すように、電動機１８１、伝達装置１８２及び駆動回路１８７を有している。
【００５５】
電動機１８１は、駆動回路１８７から供給される電流に基づいて回転駆動する。
伝達装置１８２は、当該電動機１８１の回転運動を揺動運動に変換してフロントサイドワイパ１７０に伝達する。本実施形態の伝達装置１８２は、ウォーム減速機１８３及びてこクランク機構１８４から構成されている。
【００５６】
ウォーム減速機１８３は、ウォームギアを介して電動機１８１の出力軸１８１ａの回転運動を当該出力軸１８１ａに直交する軸線回りの回転運動に変換するとともに、減速ギアを介して回転数を所定の値に減速して出力する。
【００５７】
てこクランク機構１８４は、ウォーム減速機１８３の出力軸１８３ａの回転運動を揺動運動に変換させるリンク機構である。てこクランク機構１８４は、第一リンク１８４ａ、第二リンク１８４ｂ、第三リンク１８４ｃ及び上部駆動軸１８６を有している。
【００５８】
第一リンク１８４ａは一端がウォーム減速機１８３の出力軸１８３ａに連結されており、ウォーム減速機１８３の出力軸１８３ａに従って回動する。第二リンク１８４ｂは、一端が第一リンク１８４ａの他端にピン１８５ａを介して回動可能に連結されている。第三リンク１８４ｃは、一端が第二リンク１８４ｂの他端にピン１８５ｂを介して連結されている。第三リンク１８４ｃの他端は、ブラケット１８６ａに対して第一軸線Ｏ１回りに回動可能に設けられた上部駆動軸１８６に連結されている。上部駆動軸１８６にはフロントサイドワイパ１７０のフロントサイドワイパアーム１７１の基端部が連結されている。
【００５９】
上記構成により、ウォーム減速機１８３の出力軸１８３ａの回転にしたがって、上部駆動軸１８６は第一軸線Ｏ１回りに揺動する。したがって、上部駆動軸１８６に支持されたフロントサイドワイパアーム１７１も、該上部駆動軸１８６とともに、第一軸線Ｏ１回りに往復回動する。
【００６０】
フロントサイドワイパ１７０は、ワイパ駆動部１８０によって、図４に示すように、通常位置Ｎのフロントサイドワイパブレード１７２がフロントサイドガラス１２０の後端縁１２２に沿う後部位置Ｐ１（図４で実線で示す位置）と、フロントサイドワイパブレード１７２がフロントサイドガラス１２０の前端縁１２１に沿う前部位置Ｐ２（図４で破線で示す位置）との間で往復回動させられる。
【００６１】
駆動回路１８７は、電動機１８１を駆動する回路である。駆動回路１８７には、例えば運転室に設けられたワイパスイッチがオンとされることでオン指令が入力される。駆動回路１８７は、当該オン指令に基づいて、バッテリ等の電源から電動機１８１に対して電流を供給する。
【００６２】
駆動回路１８７には、ワイパスイッチがオフとされることでオフ指令が入力される。駆動回路１８７は、当該オフ指令が入力された際には、後部位置Ｐ１を自動停止位置としてフロントサイドワイパ１７０の往復回動を停止する。自動停止位置は、フロンドサイドワイパ１７０がその位置で停止するように予め定められた設定位置である。
即ち、駆動回路１８７は、フロントサイドワイパ１７０が後部位置Ｐ１以外に位置する時点でオフ指令が入力された場合であっても、フロントサイドワイパ１７０が後部位置Ｐ１に移動するまでは往復回動動作を継続するように電動機１８１に電流を供給し続ける。
【００６３】
このようなワイパ駆動部１８０は、図３及び図４に示すように、ケース１８８に収容された状態で、天井部４０の収容空間Ｒ内に配置されている。本実施形態では、天井板４５の上面に固定設置されている。ワイパ駆動部１８０の上部駆動軸１８６は、着脱カバー５５の連通部を介して収納空間の外部に突出している。当該上部駆動軸１８６の突出部にフロントサイドワイパ１７０のフロントサイドワイパアーム１７１が連結されている。
【００６４】
＜フロントサイドガラスの払拭範囲＞
フロントサイドワイパ１７０によるフロントサイドガラス１２０の払拭範囲Ｑは、図４に示すように、前縁１９６、後縁１９７、上縁１９８及び下縁１９９によって囲まれた範囲となる。つまり、フロントサイドワイパブレード１７２に接続されているワイパラバー（図示省略）が動く範囲が当該範囲となる。
前縁１９６は、フロントサイドワイパ１７０の前方側の往復端に対応しており、フロントサイドガラス１２０の前端縁１２１（稜線１０１）に沿って延びている。本実施形態では、前縁１９６は、フロントサイドガラス１２０の前端縁１２１と平行に延びている。後縁１９７は、フロントサイドワイパ１７０の後方側の往復端に対応しており、フロントサイドガラス１２０の後端縁１２２に沿って延びている。本実施形態では、後縁１９７は、フロントサイドガラス１２０の後端縁１２２に対して下方に向かうに従って近接するように傾斜して延びている。なお、後縁１９７が、フロントサイドガラス１２０の後端縁１２２と平行になるように、ワイパ駆動部１８０や後部位置Ｐ１を設定してもよい。
【００６５】
上縁１９８は、フロントサイドワイパ１７０におけるフロントサイドワイパブレード１７２の上端の回動軌跡に対応しており、上部軸線Ｏ２を中心とした円弧状をなしている。下縁１９９はフロントサイドワイパ１７０におけるフロントサイドワイパブレード１７２の下端の回動軌跡に対応しており、上部軸線Ｏ２を中心とした円弧状をなしている。下縁１９９の曲率半径は上縁１９８の曲率半径より大きい。
フロントサイドワイパ１７０の回動軸線となる第一軸線Ｏ１がフロントサイドガラス１２０の上方に位置しているため、フロントサイドワイパ１７０の払拭範囲Ｑは、特にフロントサイドガラス１２０の上部側で広く取り易い。
【００６６】
フロントサイドガラス１２０の払拭範囲Ｑの前縁１９６と後縁１９７とは、上方から下方に向かうに従って互いに離間しており、即ち、当該払拭範囲Ｑは、下方に向かうに従って広がる形状をなしている。
【００６７】
＜通路形成部＞
通路形成部３００は、図２に示すように、キャブに沿って該キャブの周囲に通路３１０を形成する部材である。通路形成部３００は、平面視で前方側が閉塞されて後方側が開口されたＵ字状をなしている。通路形成部３００は、キャブ１０を前方及び側方から取り囲むように延びている。通路形成部３００の上面は、キャブ１０におけるサイドパネル６０の下端及び前部カバー７０の下端と同一の高さ位置とされている。当該通路形成部３００の上面がキャブを前方及び側方から取り囲む通路３１０とされている。通路３１０は、作業者が通ることが可能な幅を有してキャブの周囲に沿って延びている。
【００６８】
通路３１０は、フロント通路３１１、フロントサイド通路３１２、サイド通路３１３を有している。
フロント通路３１１は、キャブ１０の前方で車両幅方向に延びている。フロント通路３１１は、キャブ１０のフロントロアパネル９０に沿って延びている。
フロントサイド通路３１２は、フロント通路３１１の車両幅方向外側に接続されており、該フロント通路３１１から後方かつ車両幅方向外側に向かって斜めに延びている。フロントサイド通路３１２はキャブ１０のフロントサイドパネル８０に沿って延びている。
サイド通路３１３は、フロントサイド通路３１２の後方側に接続されており、該フロントサイド通路３１２との接続箇所からさらに後方に向かって延びている。サイド通路３１３は、キャブ１０のサイドパネル６０に沿って延びている。
【００６９】
＜通路柵＞
通路柵３２０は、通路３１０上の作業者の手すりとなる柵である。通路柵３２０は、通路３１０の外縁から上方に向かって立ち上がり、該通路３１０の外縁に沿って該通路３１０の延在範囲にわたって延びている。
通路柵３２０は、前柵部３３０、側柵部３４０及び連結部３５０を有している。
【００７０】
前柵部３３０は、フロント通路３１１及びフロントサイド通路３１２の前部にわたって延びている。側柵部３４０は前柵部３３０の車両幅方向の両側に該前柵部３３０と通路３１０の延在方向に間隔をあけて一対が設けられている。側柵部３４０は、フロントサイド通路３１２の後部及びサイド通路３１３にわたって延びている。
【００７１】
前柵部３３０は、複数の支持棒３３１及び柵本体３３２を有する。支持棒３３１は、上下方向に延びるバー状の部材である。支持棒３３１は、下端が通路形成部３００の外周面におけるフロント通路３１１及びフロントサイド通路３１２の前部に対応する箇所に固定されている。複数の支持棒３３１は、前柵部３３０の設置範囲にわたって通路３１０の延在方向に間隔をあけて設けられている。柵本体３３２は、支持棒３３１の上部に一体に固定されている。柵本体３３２は、横棒３３３及び縦棒３３４を有している。横棒３３３は、上下方向に間隔をあけて通路３１０の延在方向に沿って延びている。横棒３３３は、互いに平行をなすように一対が設けられている。縦棒３３４は、一対の横棒３３３の端部同士を上下方向に接続するように設けられている。
【００７２】
側柵部３４０は、複数の支持棒３４１及び柵本体３４２を有する。支持棒３４１は、上下方向に延びるバー状の部材である。支持棒３４１は、下端が通路形成部３００の外周面におけるフロントサイド通路３１２の後部及びサイド通路３１３に対応する箇所に固定されている。複数の支持棒３４１は、側柵部３４０の設置範囲にわたって通路３１０の延在方向に間隔をあけて設けられている。柵本体３４２は、支持棒３４１の上部に一体に固定されている。柵本体３４２は、横棒３４３及び縦棒３４４を有している。横棒３４３は、上下方向に間隔をあけて通路３１０の延在方向に沿って延びている。横棒３４３は、互いに平行をなすように一対が設けられている。縦棒３４４は、一対の横棒３４３の端部同士を上下方向に接続するように設けられている。
【００７３】
これら前柵部３３０及び側柵部３４０の上端の上下方向位置は、即ち、上側の横棒３３３，３４３が配置されている上下方向位置は、フロントサイドワイパ１７０が第二軸線Ｏ２回りに回動する際に干渉する位置とされている。
【００７４】
図４に示すように、前柵部３３０の車両幅方向外側の端部の縦棒３３４と、側柵部３４０の前方側の縦棒３４４とは、通路３１０の延在方向に離間して互いに平行に配置されている。互いに隣り合う前柵部３３０の縦棒３３４と側柵部３４０の縦棒３４４とは、連結部３５０によって互いに連結されている。連結部３５０の配置位置は、前柵部３３０の縦棒３３４及び側柵部３４０の縦棒３４４におけるこれらの上端から下方に離間した位置である。連結部３５０は、例えば板金部品で構成されており、例えばボルト等によって縦棒３３４及び縦棒３４４と締結され、容易に着脱可能な構成とされている。
【００７５】
前柵部３３０の縦棒３３４、側柵部３４０の縦棒３４４及び連結部３５０によって、これらの間には開口部Ｓが区画形成されている。開口部Ｓは、通路柵３２０の上方に開口して該通路柵３２０を内外に貫通する。開口部Ｓは、通路柵３２０の上端から下方に向かって凹むように形成されている。
【００７６】
上記開口部Ｓには、通常位置Ｎと立ち上げ位置Ｌとの間で回動するフロントサイドワイパ１７０の可動域Ｔを含んでいる。即ち、フロントサイドワイパ１７０は、第二軸線Ｏ２回りに回動する際に、開口部Ｓを通過する。本実施形態では、フロントサイドワイパ１７０が後部位置にある際の第二軸線Ｏ２回りの可動域Ｔが開口部Ｓ内に含まれている。図５に示すように、フロントサイドワイパ１７０が立ち上げ位置Ｌにある場合には、フロントサイドワイパ１７０のフロントサイドワイパブレード１７２は通路柵３２０の外側に位置している。
【００７７】
＜作用効果＞
運転席で操縦者がホイールローダ２００を操縦する際には、操縦者はフロントガラス１１０及びフロントサイドガラス１２０からなる窓部１００を介して、前方周囲を視認する。例えば雨天時等の悪天候時や窓部１００の外面が結露した場合、窓部１００に埃が付着して視界が悪化した場合には、フロントワイパ１３０及びフロントサイドワイパ１７０によってフロントガラス１１０及びフロントサイドガラス１２０を払拭する。
フロントサイドワイパ１７０はフロントサイドガラス１２０を払拭する際に通常位置Ｎとされている。通常位置Ｎに位置するフロントサイドワイパブレード１７２が、第一軸線Ｏ１回りに回動することでフロントサイドガラス１２０の外面を払拭する。
【００７８】
ここで、作業者がキャブ１０の外面を清掃する際や、フロントサイドワイパブレード１７２のメンテナンスをするには、フロントサイドワイパブレード１７２を通常位置Ｎから立ち上げ位置Ｌに立ち上げる場合がある。
この際、仮にフロントサイドワイパブレード１７２の可動域Ｔが通路柵３２０と干渉すれば、フロントサイドワイパブレード１７２を通常位置Ｎから所定の立ち上げ位置Ｌまで回動させることができない。または、フロントサイドワイパブレード１７２の立ち上げ位置Ｌが、通路柵３２０に当接する位置に制限されてしまう。この場合、通路３１０上にフロントサイドワイパブレード１７２が位置することになるため、当該通路３１０上での作業者の作業性を著しく悪化させてしまう。
【００７９】
これに対して本実施形態では、フロントサイドワイパ１７０の通常位置Ｎから立ち上げ位置Ｌまでの可動域Ｔが通路柵３２０の開口部Ｓ内に含まれ、フロントサイドワイパ１７０は開口部Ｓ内を通過する。これにより、フロントサイドワイパ１７０と通路柵３２０とが互いに干渉してしまうことはない。そのため、フロントサイドワイパ１７０の立ち上げ位置Ｌを、通路３１０上から離れた位置とすることができる。したがって、通路３１０での作業者の作業性の低下を回避することができる。
【００８０】
さらに、通路柵３２０の開口部Ｓ内をフロントサイドワイパ１７０が通過する構成とすることで、通路柵３２０の高さを大きく確保することができる。即ち、フロントサイドワイパ１７０と通路柵３２０との干渉を避けるために通路柵３２０の高さ自体を小さくする必要がないため、通路３１０上での作業者の手すりとしての機能を担保することができる。
【００８１】
互いに隣り合う前柵部３３０と側柵部３４０の間の空間をフロントサイドワイパ１７０の可動域Ｔが存在する開口部Ｓとすることで、通路柵３２０自体の設計を変更して別途開口部Ｓを形成する必要がない。
【００８２】
前柵部３３０と側柵部３４０とは連結部３５０で連結されているため、これら前柵部３３０と側柵部３４０とを互いに拘束することができる。そのため、これらの間に開口部Ｓを設けたとしても、通路柵３２０の強度を確保することができ、通路柵３２０が不用意に振動してしまうことを回避できる。連結部３５０は、フロントサイドワイパ１７０の可動域Ｔの下方に位置しているため、当該連結部３５０がフロントサイドワイパ１７０の回動の妨げになることもない。
【００８３】
本実施形態では、フロントサイドワイパ１７０が自動停止位置にある場合における通常位置Ｎと立ち上げ位置Ｌとでの可動域Ｔが、開口部Ｓに含まれている。そのため、フロントサイドワイパ１７０の第一軸線Ｏ１回りの位置調整をすることなく、単にフロントサイドワイパ１７０を立ち上げる作業をするのみでよい。これにより、フロントサイドワイパ１７０を容易に通路３１０上から離間した立ち上げ位置Ｌに可変させることができる。
【００８４】
フロントサイドガラス１２０の前端縁１２１及び後端縁１２２が下方に向かうに従って広がる形状をなしている。これに対応して、フロントサイドワイパ１７０によるフロントサイドガラス１２０の払拭範囲Ｑも、下方に向かうに従って広がる形状をなしている。即ち、フロントサイドワイパ１７０によってフロントサイドガラス１２０の形状に対応した払拭範囲Ｑを形成することができるため、操縦者のフロントサイドガラス１２０を介しての視界を大きく確保することができる。
【００８５】
加えて、フロントサイドワイパ１７０が上方から吊り下げられた構成とされていることで、第二軸線Ｏ２をフロントサイドガラス１２０の上方に配置することができる。そのため、立ち上げ位置Ｌとされたフロントサイドワイパ１７０が通路３１０上の作業者の妨げとなることを回避できる
【００８６】
＜その他の実施形態＞
以上、本発明の実施の形態について説明したが、本発明はこれに限定されることなく、その発明の技術的思想を逸脱しない範囲で適宜変更可能である。
【００８７】
例えば実施形態では、ワイパ駆動部１８０を天井部４０内に配置したが、これに限定されることはなく。フロントサイドワイパ１７０の回動軸線となる第一軸線Ｏ１がフロントサイドガラス１２０の上方に位置していればよい。例えば、第一軸線Ｏ１がフロントサイドパネル８０内に設けられていてもよい。
【００８８】
フロントサイドワイパ１７０の回動中心となる第一軸線Ｏ１は、フロントサイドガラス１２０の上方に配置されているのみならず、側方又は下方に配置されていてもよい。この場合であっても、通常位置Ｎから立ち上げ位置Ｌへのフロントサイドワイパ１７０の可動域Ｔが通路柵３２０の開口部Ｓを通過すればよい。
【００８９】
実施形態では、通路３１０の延在方向に互いに離間する前柵部３３０と側柵部３４０との間の空間を開口部Ｓとしたがこれに限定されることはない。例えば、通路３１０に沿って連続的に通路柵３２０を設けて、当該通路柵３２０の一部に上方から凹むとともに該通路柵３２０を内外に貫通する開口部Ｓが形成されていてもよい。
連結部３５０は必ずしも設けられていなくてもよい。
【００９０】
実施形態では、立ち上げ位置Ｌをフロントサイドワイパ１７０が通路柵３２０の外側に位置する位置として説明したがこれに限定されることはない。立ち上げ位置Ｌは、フロントサイドワイパ１７０がフロントサイドガラス１２０から離間した位置であればよい。例えば、立ち上げ位置Ｌを、フロントサイドワイパ１７０の一部が開口部Ｓ内にある位置としてもよい。
【００９１】
実施形態では、キャブ１０をホイールローダ２００に適用した例について説明したが、例えばブルドーザやダンプトラック、モーターグレーダ等の他の作業車両に適用してもよい。
【産業上の利用可能性】
【００９２】
上記態様の作業車両によれば、メンテナンス性を向上させることができる。
【符号の説明】
【００９３】
１０…キャブ、２０…キャブ本体、３０…支持構造体、３１…後部支柱、３２…後部横梁、４０…天井部、４１…天井構造体、４２…側部縦梁、４３…前部横梁、４４…前部縦梁、４５…天井板、４６…側縁部、４７…前縁部、４８…傾斜縁部、５０…天井カバー、５１…カバー本体、５２…カバー側縁部、５３…カバー前縁部、５４…カバー後縁部、５５…着脱カバー、５６…連通孔、５８…前部支柱、６０…サイドパネル、６１…ドアパネル、６１ａ…ドア枠、６２…ドア、６３…サイドガラス、７０…前部カバー、７１…下部稜線、７２…上部稜線、８０…フロントサイドパネル、８１…側部窓枠、９０…フロントロアパネル、９１…下部窓枠、９５…フロントアッパーパネル、９６…上部窓枠、１００…窓部、１０１…稜線、１１０…フロントガラス、１１１…上端縁、１１２…下端縁、１１３…側端縁、１２０…フロントサイドガラス、１２１…前端縁、１２２…後端縁、１２３…上端縁、１２４…下端縁、１２５…傾斜縁、１３０…フロントワイパ、１４０…フロントワイパアーム、１５０…フロントワイパブレード、１７０…フロントサイドワイパ（ワイパ）、１７１…フロントサイドワイパアーム、１７１ａ…アームヘッド、１７１ｂ…アームシャンク、１７２…フロントサイドワイパブレード、１８０…ワイパ駆動部、１８１…電動機、１８１ａ…出力軸、１８２…伝達装置、１８３…ウォーム減速機、１８３ａ…出力軸、１８４…てこクランク機構、１８４ａ…第一リンク、１８４ｂ…第二リンク、１８５ａ…ピン、１８４ｃ…第三リンク、１８５ｂ…ピン、１８６…上部駆動軸、１８６ａ…ブラケット、１８７…駆動回路、１８８…ケース、１９６…前縁、１９７…後縁、１９８…上縁、１９９…下縁、２００…ホイールローダ、２１０…作業機、２１１…ブーム、２１２…バケット、２１３…リンク、２１４…ベルクランク、２１５…ブーム駆動用シリンダ、２１６…バケット駆動用シリンダ、２２０…車両本体、２３０…前輪、２４０…後輪、２５０…車両フロント部、２６０…車両リア部、２７０…リアフレーム、２７１…燃料タンク、２７２…エンジンルーム、３００…通路形成部、３１０…通路、３１１…フロント通路、３１２…フロントサイド通路、３１３…サイド通路、３２０…通路柵、３３０…前柵部（柵部）、３３１…支持棒、３３２…柵本体、３３３…横棒、３３４…縦棒、３４０…側柵部（柵部）、３４１…支持棒、３４２…柵本体、３４３…横棒、３４４…縦棒、３５０…連結部、Ｏ１…第一軸線、Ｏ２…第二軸線、Ｐ１…後部位置、Ｐ２…前部位置、Ｒ…収容空間、Ｎ…通常位置、Ｌ…立ち上げ位置、Ｃ…仮想円、Ｓ…開口部、Ｑ…払拭範囲、Ｔ…可動域
【図１】
2017195907.tif 000003
【図２】
2017195907.tif 000004
【図３】
2017195907.tif 000005
【図４】
2017195907.tif 000006
【図５】
2017195907.tif 000007
【図６】
2017195907.tif 000008
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
内部が運転室とされて窓部を有するキャブ、及び、該キャブの周囲に設けられた通路を有する車両本体と、
第一軸線回りに前記窓部に沿って回動可能に設けられるとともに、前記窓部に接触する通常位置と該窓部から離間する立ち上げ位置との間の可動域で、前記第一軸線とは異なる方向に延びる第二軸線回りに回動するワイパと、
前記通路の外縁に沿って延びる通路柵と、
を備え、
前記通路柵が、該通路柵を内外に貫通して上方に開口するとともに前記ワイパの前記可動域を含む開口部を一部に有する通路柵と、
を備える作業車両。
【請求項２】
前記通路柵は、前記通路の外縁に沿う方向に離間する複数の柵部を有し、
前記開口部は、互いに隣り合う前記柵部によって区画形成されている請求項１に記載の作業車両。
【請求項３】
前記通路柵は、互いに隣り合う前記柵部同士を、これら柵部の上端よりも下方で連結する連結部を有し、
前記開口部は、互いに隣り合う前記柵部及び前記連結部によって区画形成されている請求項２に記載の作業車両。
【請求項４】
前記立ち上げ位置は、前記ワイパが前記開口部の位置又は前記通路柵の外側にある位置である請求項１から３のいずれか一項に記載の作業車両。
【請求項５】
オン指令が入力されることで前記ワイパを前記第一軸線回り往復回動させるとともに、オフ指令が入力されることで前記ワイパを所定の設定位置で停止させるワイパ駆動部を備え、
前記開口部は、前記設定位置における前記ワイパの前記第二軸線回りの前記可動域を含む請求項１から４のいずれか一項に記載の作業車両。
【請求項６】
前記窓部は、
車両幅方向に延びるフロントガラスと、
該フロントガラスの車両幅方向両側に稜線を介して接続されて斜め後方に向かって延びるとともに、それぞれ上下方向に延びる後端縁と前記稜線とが下方に向かうに従って互いに離間するフロントサイドガラスと、を有し、
前記ワイパは、前記フロントサイドガラスの上方に配置された前記第一軸線回りに該フロントサイドガラスに沿って回動可能に配置されており、
前記ワイパ駆動部は、前記ワイパが前記後端縁に沿って延びる後部位置と該ワイパが前記稜線に沿って延びる前部位置との間で、該ワイパを前記第一軸線回りに往復回動させ、
前記設定位置は、後部位置である請求項５に記載の作業車両。
【国際調査報告】
2017195907.tif 000009
2017195907.tif 000010
2017195907.tif 000011